(57)【要約】      （修正有）【課題】布地を用いて造花などの装飾用素材を作製するのに際し、折り重ねられて形状やサイズが揃った複数の重合布片を簡単かつ効率よく形成することができる手芸作業用補助具を提供する。【解決手段】手芸作業用補助具Ａは、シート体１と、シート体１に形成される折り操作案内手段とを備える。シート体１は、中心から一定の中心角ごとに半径方向に延びる４以上の偶数の境界線で区切られた複数の単位パネル１０からなる。折り操作案内手段は、所定の直径上に位置する２つの上記境界線に沿った折り操作を初回の折り操作とし、すべての単位パネル１０が折り重なる状態までの上記境界線に沿った折り操作を案内し、番号表記２、矢印３、折り方向マーク４、および折り目表示線５，６からなる。【選択図】図１
0003158520.tif 000002
【実用新案登録請求の範囲】
【請求項１】
中心から一定の中心角ごとに半径方向に延びる４以上の偶数の境界線で区切られた複数の単位パネルからなるシート体と、
上記シート体に形成され、所定の直径上に位置する２つの上記境界線に沿った折り操作を初回の折り操作とし、上記すべての単位パネルが折り重なる状態までの上記境界線に沿った折り操作を案内する折り操作案内手段と、を備えることを特徴とする、手芸作業用補助具。
【請求項２】
上記複数の単位パネルは、同一形状、同一サイズである、請求項１に記載の手芸作業用補助具。
【請求項３】
上記シート体の中央には、上記複数の単位パネルの半径方向内方縁を規定する開口が形成されている、請求項１または２に記載の手芸作業用補助具。
【請求項４】
上記折り操作案内手段は、上記シート体の少なくとも片面に表示され、上記境界線に沿った折り操作をするべき順序を示す順序表記と、折り方向を示す折り方向表記とを有する、請求項１ないし３のいずれかに記載の手芸作業用補助具。
【請求項５】
上記シート体には、選択された隣り合う２つの上記単位パネルの間を分離する１つの切れ込みが形成されている、請求項１ないし４のいずれかに記載の手芸作業用補助具。
【請求項６】
上記折り操作案内手段は、２回目以降の折り操作により、上記切れ込みを挟んで両側にある２つの上記単位パネルが重なるように構成される、請求項５に記載の手芸作業用補助具。
【請求項７】
上記単位パネルの半径方向外方縁は円弧形であり、当該円弧形の中心角は、上記境界線を形成する中心角よりも大である、請求項１ないし６のいずれかに記載の手芸作業用補助具。
【請求項８】
上記シート体には、中心を上記シート体の中心と同じくし、上記シート体の外周縁の縮小相似形とされたサイズ基準線が表示されている、請求項１ないし７のいずれかに記載の手芸作業用補助具。
【請求項９】
請求項１ないし８のいずれかに記載の手芸作業用補助具と、この手芸作業用補助具を使用する際に用いられる布地と、を備えることを特徴とする、手芸作業用補助具と布地とのセット。
【考案の詳細な説明】
【技術分野】
【０００１】
本考案は、布地を用いて装飾用素材を作製する際に使用する手芸作業用補助具に関する。
【背景技術】
【０００２】
布地を用いて作製される装飾用素材として、たとえば造花が知られている。布地により造花を作製する際には、たとえば適当なサイズの一枚の布地を折り重ねて花弁となるべき複数枚の重合布片とし、これら重合布片の一部を花弁の形状に合わせて切り落とすことにより、複数の花弁を有する造花の素材とすることができる（たとえば、特許文献１を参照）。布地により作製された造花などの装飾用素材は、たとえばファッション雑貨やインテリア小物などに取り付けられ、あるいはそれ自体で部屋のインテリアに用いられることにより、優れた装飾効果を発揮する。
【０００３】
しかしながら、上記従来の布地による造花の作製においては、一枚の布地が折り重なって形成される複数の重合布片については、その周縁をぴったり揃えないと花弁となる部分の形状やサイズにばらつきが生じてしまう。また、たとえば、複数枚の布地を用いて多数の重合布片を有する造花を作製する場合には、これら多数の重合布片によって形成される花弁の形状やサイズを一定に揃えるのはより一層困難であり、作製者の作業負担もかなり大きなものとなってしまう。
【先行技術文献】
【特許文献】
【０００４】
【特許文献１】実公平８−６００３号公報
【考案の概要】
【考案が解決しようとする課題】
【０００５】
本考案は、このような事情のもとで考え出されたものであって、布地を用いて造花などの装飾用素材を作製するのに際し、折り重ねられて形状やサイズが揃った複数の重合布片を簡単かつ効率よく形成することを課題とする。
【課題を解決するための手段】
【０００６】
上記の課題を解決するため、本考案では、次の技術的手段を講じている。
【０００７】
本考案の第１の側面によって提供される手芸作業用補助具は、中心から一定の中心角ごとに半径方向に延びる４以上の偶数の境界線で区切られた複数の単位パネルからなるシート体と、上記シート体に形成され、所定の直径上に位置する２つの上記境界線に沿った折り操作を初回の折り操作とし、上記すべての単位パネルが折り重なる状態までの上記境界線に沿った折り操作を案内する折り操作案内手段と、を備えることを特徴としている。好ましくは、上記複数の単位パネルは、同一形状、同一サイズである。
【０００８】
このような構成の手芸作業用補助具によれば、展開したシート体を布地に重ね合わせ、折り操作案内手段にしたがってすべての単位パネルが折り重なる状態になるまで境界線に沿って折り操作を行うことにより、布地を、折り重なる複数の重合布片にすることができる。ここで、複数の単位パネルの形状・サイズが同一であれば、重合する単位パネルの外方縁がぴったり揃う。そして、単位パネルの半径方向外方縁に沿って布地のはみ出した部分を切り落とす。このように、各単位パネルに対応して形状・サイズが揃った複数の重合布片を簡単かつ効率よく形成することができる。
【０００９】
好ましい実施の形態においては、上記シート体の中央には、上記複数の単位パネルの半径方向内方縁を規定する開口が形成されている。
【００１０】
好ましい実施の形態においては、上記折り操作案内手段は、上記シート体の少なくとも片面に表示され、上記境界線に沿った折り操作をするべき順序を示す順序表記と、折り方向を示す折り方向表記とを有する。このような構成によれば、順序表記および折り方向表記の指示通りに単位パネルの境界線に沿った折り操作を進めることができ、単位パネルに同伴する布地についても、効率よく折り操作を行うことができる。
【００１１】
好ましい実施の形態においては、上記シート体には、選択された隣り合う２つの上記単位パネルの間を分離する１つの切れ込みが形成されている。このような構成によれば、布地を折り畳んだ後、手芸作業用補助具を布地から分離する操作を容易に行うことができる。
【００１２】
好ましい実施の形態においては、上記折り操作案内手段は、２回目以降の折り操作により、上記切れ込みを挟んで両側にある２つの上記単位パネルが重なるように構成される。
【００１３】
好ましい実施の形態においては、上記単位パネルの半径方向外方縁は円弧形であり、当該円弧形の中心角は、上記境界線を形成する中心角よりも大である。
【００１４】
好ましい実施の形態においては、上記シート体には、中心を上記シート体の中心と同じくし、上記シート体の外周縁の縮小相似形とされたサイズ基準線が表示されている。
【００１５】
本考案の第２の側面では、上述した本考案の第１の側面において記載した手芸作業用補助具と、この手芸作業用補助具を使用する際に用いられる布地と、を備えることを特徴とする、手芸作業用補助具と布地とのセットが提供される。
【００１６】
このような構成によれば、手芸作業用補助具を使用する際に用いられる布地がセットとされているため、手芸作業用補助具の使用に適したサイズやデザインを有する布地を別途準備する必要はなく、使い勝手がよい。
【００１７】
本考案のその他の特徴および利点は、添付図面を参照して以下に行う詳細な説明によって、より明らかとなろう。
【図面の簡単な説明】
【００１８】
【図１】本考案に係る手芸作業用補助具の一例を示す平面図である。
【図２】図１に示す手芸作業用補助具の使用方法の一部の手順を示す図である。
【図３】図１に示す手芸作業用補助具の使用方法の一部の手順を示す図である。
【図４】図１に示す手芸作業用補助具の使用方法の一部の手順を示す図である。
【図５】図１に示す手芸作業用補助具の使用方法の一部の手順を示す図である。
【図６】図１に示す手芸作業用補助具の使用方法の一部の手順を示す図である。
【図７】図１に示す手芸作業用補助具の使用方法の一部の手順を示す図である。
【図８】図１に示す手芸作業用補助具の使用方法の一部の手順を示す図である。
【図９】図１に示す手芸作業用補助具の使用方法の一部の手順を示す図である。
【図１０】装飾用素材の作製途中の状態を示す図である。
【図１１】図１に示す手芸作業用補助具を使用して作製された装飾用素材の一例を示す図である。
【考案を実施するための形態】
【００１９】
以下、本考案の好ましい実施の形態について、図面を参照して具体的に説明する。
【００２０】
図１は、本考案に係る手芸作業用補助具の一例を示す平面図である。本実施形態の手芸作業用補助具Ａは、所定形状のシート体１を備えて構成されており、たとえば布地を用いて造花などの装飾用素材を作製する際に使用するものである。
【００２１】
シート体１は、たとえば厚紙により構成されており、４以上の偶数（本実施形態では８本）の境界線で区切られた複数（８つ）の単位パネル１０からなる。これら単位パネル１０の境界線は、シート体１の中心Ｏ１から一定の中心角α１ごと（本実施形態では４５°）に半径方向に延びている。
【００２２】
複数の単位パネル１０はすべて、同一形状、同一サイズとされている。より具体的には、単位パネル１０の半径方向外方縁は円弧形とされており、当該円弧形の中心角α２は、上記境界線を形成する中心角α１よりも大の一定値とされている。これにより、各単位パネル１０の半径方向外方縁は、上記境界線の最外端を半径とする円（図１において仮想線で表す）よりも外側に膨らんでいる。なお、ここで、単位パネル１０の半径方向外方縁が「円弧形」であるとは、厳密な円弧のみに限定されるものではなく、その主要部が概ね一定曲率の曲線でつながっていればよい。また、シート体１の中央には、開口１１が形成されている。この開口１１は円形とされており、開口１１により各単位パネル１０の半径方向内方縁が規定されている。
【００２３】
シート体１には、相互に隣り合う単位パネル１０の境界線に沿って折り筋が形成されており、シート体１はこの折り筋に沿って折り畳み可能となっている。上記折り筋は、たとえばシート体１の厚みが他の部分よりも小であることにより形成される。また、本実施形態においては、シート体１には切れ込み１２が形成されている。切れ込み１２は、所定の隣り合う２つの単位パネル１０を区切る境界線に沿って形成される。これにより、上記２つの単位パネル１０の間が分離している。
【００２４】
シート体１の上面には、たとえば印刷などの適宜手法によって各種表記が施されている。各種表記は、たとえば、複数の番号表記２、矢印３、複数の折り方向マーク４、複数ずつの折り目表示線５，６、複数のサイズ基準線７を含んで構成される。
【００２５】
詳細については後述するが、番号表記２は、上記境界線に沿った折り操作をするべき順序を示すものであり、上記境界線の近傍に付されている。矢印３および折り方向マーク４は、上記境界線について折り方向を示すものである。矢印３は、境界線を跨いで表示されており、当該境界線において山折りすべきことを示す。折り方向マーク４は、境界線を挟んで対をなして表示されており、当該境界線において谷折りすべきことを示す。
【００２６】
折り目表示線５は、境界線上に点線で表されており、当該境界線を山折りすべきことを示す。折り目表示線６は、境界線上に実線で表されており、当該境界線を谷折りすべきことを示す。
【００２７】
矢印３および折り方向マーク４、ならびに折り目表示線５，６は、本発明でいう折り方向表記に相当するものである。そして、これら折り方向表記と、番号表記２とは、本発明でいう折り方向案内手段を構成するものである。なお、番号表記２、矢印３、および折り方向マーク４は、サイズ基準線７よりも半径方向内方寄りに付されている。
【００２８】
サイズ基準線７は、手芸作業用補助具Ａを初期のサイズよりも小さいサイズにして使用するためのものである。サイズ基準線７は、シート体１の外周縁の縮小相似形として表示されており、サイズ基準線７の中心は、シート体１の中心Ｏ１と一致している。本実施形態では、サイズの異なる２本のサイズ基準線７が表されている。
【００２９】
次に、上記構成の手芸作業用補助具Ａを用いて装飾用素材としての造花を作製する方法について、図２〜図１１を参照して説明する。
【００３０】
まず、図２に示すように、シート体１よりもひと回り大きいサイズの布地Ｃを準備し、シート体１を布地Ｃに重ね合わせる。ここで、布地Ｃとしては、その生地の種類や模様など特に限定されるものではなく、たとえばユーザの好みに合ったものを採用することができる。
【００３１】
次いで、シート体１と布地Ｃとを重なり合わせた状態にて、番号表記２、矢印３、折り方向マーク４、および折り目表示線５，６にしたがって折り畳む。具体的には、まず、初回の折り操作として、「１」の数字として表された番号表記２が示す境界線について、当該境界線に対応する矢印３および折り目表示線５にしたがって山折りする（図３参照）。初回の折り操作は、シート体１の直径上に位置する２つの境界線に沿った折り操作である。この初回の折り操作により、図１に表される８つの単位パネル１０のうち下側の４つが上側の４つに重なる。これと同時に、布地Ｃは２つ折りにされる。
【００３２】
次に、２回目の折り操作として、「２」の数字として表された番号表記２が示す境界線について、当該境界線に対応する折り方向マーク４にしたがって谷折りする（図４参照）。２回目の折り操作は、切れ込み１２に沿った折り操作である。この２回目の折り操作により、切れ込み１２を挟んで両側に位置する２つの単位パネル１０が重なる。これと同時に、布地Ｃは４つ折りにされる。
【００３３】
次に、３回目の折り操作として、「３」の数字として表された番号表記２が示す境界線について、当該境界線に対応する折り方向マーク４および折り目表示線６にしたがって谷折りする。より詳細には、図２〜図４から理解されるように、図４において、「３」の番号表記２は、折り重なるシート体１の表側と裏側とにそれぞれ表れるが、表側は手前に折り返し（図５参照）、裏側は奥方に折り返す（図６参照）。図５は、表側の番号表記２にしたがって折り返した状態を示し、図６は、さらに裏側の番号表記２にしたがって折り返した状態を示す。これと同時に、布地Ｃは８つ折りにされる。
【００３４】
このように番号表記２の順序にしたがって折り操作を行うことにより、図６に示すように、すべての単位パネル１０が折り重なる状態となる。このとき、布地Ｃは、各単位パネル１０に同伴されて折り重ねられ、複数（８つ）の重合布片Ｃ’となる。複数の単位パネル１０については、すべて形状・サイズが同一であるので、重合する単位パネル１０の半径方向外方縁がぴったりと揃う。引き続き、単位パネル１０の半径方向外方縁に沿って、重合布片Ｃ’のはみ出した不要部分を、ハサミなどを用いて切り落とす。これにより、図７に示すように、単位パネル１０に対応して形状・サイズの揃った複数の重合布片Ｃ”が形成される。
【００３５】
また、図１を参照して上述したように、展開されたシート体１の中央には、複数の単位パネル１０の半径方向内方縁を規定する開口１１が形成されている。したがって、シート体１を折り畳んだ後においては、重合された単位パネル１０の半径方向内方縁から、８つ折りされた重合布片Ｃ”のそれぞれの一部が臨んでいる。
【００３６】
次に、図８に示すように、重合布片Ｃ”のうち単位パネル１０の半径方向内方縁からはみ出す部分に糸を通す。これにより、折り重なる重合布片Ｃ”は、端部で纏められる。引き続き、図９に示すように、折り畳まれたシート体１を展開しながら重合布片Ｃ”から分離させる。ここで、シート体１は切れ込み１２を有することから、シート体１の分離作業が容易化される。
【００３７】
さらに、他の布地Ｃを用いて、図２〜図９を参照して上述したのと同様に、シート体１の折り操作、重合布片Ｃ’の不要部分の切断、重合布片Ｃ”への糸通し、重合布片Ｃ”からのシート体１の分離、といった一連の操作を行う。そして、これら一連の操作を、たとえば１０〜２０枚程度の所定数の布地Ｃについて繰り返し、その後、図１０に示すように、針を外したうえで重合布片Ｃ”に通した糸を結ぶ。このようにして、たとえば図１１に表されるような立体感のある造花Ｆが得られる。
【００３８】
本実施形態の手芸作業用補助具Ａによれば、上述のように、展開したシート体１を布地Ｃに重ね合わせ、番号表記２、矢印３、折り方向マーク４、および折り目表示線５，６にしたがってすべての単位パネル１０が折り重なる状態になるまで境界線に沿って折り操作を行うことにより、布地Ｃを、折り重なる複数の重合布片Ｃ’にすることができる。ここで、複数の単位パネル１０の形状・サイズが同一であるため、重合する単位パネル１０の半径方向外方縁がぴったり揃う。そして、単位パネル１０の半径方向外方縁に沿って重合布片Ｃ’のはみ出した部分を切断する。このようにして、単位パネル１０に対応して形状・サイズが揃った複数の重合布片Ｃ”を簡単かつ効率よく形成することができる。
【００３９】
本実施形態においては、シート体１の上面には、番号表記２、ならびに折り方向表記としての矢印３、折り方向マーク４、および折り目表示線５，６が表されている。したがって、これら表記の指示通りに単位パネル１０の境界線に沿った折り操作を進めることができ、単位パネル１０に同伴されて折り重なる布地Ｃについても、効率よく折り操作を行うことができる。このことは、上述のように複数の布地Ｃについて折り操作を行う場合、ユーザの作業負担の大幅な軽減に資する。
【００４０】
また、シート体１には切れ込み１２が設けられているため、シート体１を重合布片Ｃ”から分離する作業を容易に行うことができる。さらに、本実施形態では、切れ込み１２が形成された境界線は２回目以降の折り操作により折り返される。このため、折り操作に伴う単位パネル１０と布地Ｃとの位置ずれを抑制しつつ、複数回の折り操作の過程においてシート体１の厚さに起因して単位パネル１０を適切に折り重ねることができなくなるという不都合を抑制することができる。
【００４１】
シート体１において、各単位パネル１０の半径方向外方縁は上記境界線の最外端を半径とする円（図１において仮想線で表す）よりも外側に膨らんでいる。このため、半径方向外方縁に沿って不要部分が切断された後の重合布片Ｃ”については、花弁を模したような輪郭形状とすることができる。
【００４２】
シート体１には、シート体１の外周縁の縮小相似形とされたサイズ基準線７が表示されている。これにより、特に図示しないが、シート体１をサイズ基準線７に沿って切断したうえで使用することが可能であり、サイズの異なる造花（装飾用素材）を容易に作製することができる。
【００４３】
また、手芸作業用補助具Ａ、およびこの手芸作業用補助具Ａを使用する際に用いる布地Ｃについては、たとえばセットとして取り扱うことも可能である。このようにセットとしておけば、手芸作業用補助具Ａの使用に適したサイズやデザインを有する布地Ｃを別途準備する必要はなく、使い勝手がよい。
【００４４】
以上、本考案の具体的な実施形態を説明したが、本考案はこれに限定されるものではなく、考案の思想から逸脱しない範囲内で種々な変更が可能である。本考案に係る手芸作業用補助具の各部の具体的な形状や材質なども、上記実施形態に限定されるものではない。
【００４５】
上記実施形態においては、シート体１が８つの単位パネル１０から構成される場合を例に挙げて説明したが、シート体を構成する単位パネルの数は限定されるものではない。単位パネルの数は、４以上の偶数であればよく、実用上の他の例としては４つ、あるいは６つが適当であるが、２回以上の折り操作によってすべての単位パネルが折り重ねられるのであればよい。
【００４６】
上記実施形態では、シート体１の中央に開口１１が形成されている場合について説明したが、この開口を設けない構成としてもよい。開口を設けない場合においても、シート体の折り操作、および単位パネルの半径方向外方縁に沿った布地の不要部分の切断操作を一連で行うことができ、単位パネルに対応して形状・サイズの揃った複数の重合布片を形成することができる。
【００４７】
上記実施形態においては、折り操作をするべき順序を示す順序表記の一例として、数字により順序を示す番号表記２について説明したが、これに限定されない。順序表記としては、たとえばアルファベットや片仮名・平仮名などの他の順序を示すことが可能な表記を採用してもよい。
【００４８】
上記実施形態では、単位パネル１０の半径方向外方縁が円弧形の場合について説明したが、これに限定されず、単位パネルの半径方向外方縁の形状は、作製されるべき装飾用素材の形状に応じて適宜変更可能であり、たとえば三角形状や波形状などの他の形状であってもよい。
【００４９】
上記実施形態では、シート体１には切れ込み１２が形成されていたが、この切れ込みを設けない構成としてもよい。
【符号の説明】
【００５０】
Ａ        手芸作業用補助具
Ｃ        布地
Ｃ’，Ｃ”    重合布片
１        シート体
１０      単位パネル
１１      開口
１２      切れ込み
２        番号表記（順序表記）
３        矢印（折り方向表記）
４        折り方向マーク（折り方向表記）
５，６    折り目表示線（折り方向表記）
【図３】
0003158520.tif 000003
【図５】
0003158520.tif 000004
【図６】
0003158520.tif 000005
【図７】
0003158520.tif 000006
【図８】
0003158520.tif 000007
【図９】
0003158520.tif 000008
【図１０】
0003158520.tif 000009
【図１１】
0003158520.tif 000010
【図１】
0003158520.tif 000011
【図２】
0003158520.tif 000012
【図４】
0003158520.tif 000013